(57)【要約】【課題】複数のユーザーで共用した場合、ユーザー毎にアクセスすることができるデータを特定することができる撮影装置を提供する。【解決手段】信号処理部２において生成された映像データを管理するための管理データを生成するシステム管理部９と、装置内に固定して配され少なくとも信号処理部２から出力される映像データを記録可能な固定メモリー４とを備えた撮影装置であって、装置に着脱可能でシステム管理部９で生成される管理データを記録可能なリムーバブルメモリー５を備え、管理データは、少なくとも、映像データのファイル名の情報と、固定メモリー４において映像データが記録されるアドレスの情報とが含まれている。【選択図】図１
2008034952.tif 000002
【特許請求の範囲】
【請求項１】
入射される光学画像を撮像する撮像部と、
前記撮像部で撮像された光学画像から、映像データを生成する信号処理部と、
前記信号処理部において生成された映像データを管理するための管理データを生成するシステム管理部と、
当該装置内に固定して配され、少なくとも前記信号処理部から出力される映像データを記録可能な第１の情報媒体とを備えた撮影装置であって、
当該装置に着脱可能で、前記システム管理部で生成される管理データを記録可能な第２の情報媒体を備え、
前記管理データは、少なくとも、前記映像データのファイル名の情報と、前記第１の情報媒体において前記映像データが記録されるアドレスの情報とが含まれていることを特徴とする撮影装置。
【請求項２】
前記システム管理部は、前記第２の情報媒体に記録されている管理データで管理されている映像データのみに、アクセスを許可する請求項１記載の撮影装置。
【請求項３】
複数の前記第２の情報媒体を選択的に装着可能であり、
前記複数の第２の情報媒体における各情報媒体に記録される管理データは、前記第１の情報媒体上のアクセス領域が互いに排他的関係になるようにアドレス情報が設定されている請求項１記載の撮影装置。
【請求項４】
前記第２の情報媒体は、半導体メモリーで構成されている請求項１記載の撮影装置。
【発明の詳細な説明】
【技術分野】
【０００１】
本発明は、デジタル映像信号を固定式のハードディスクドライブに記録可能な撮影装置に関し、特に大容量ハードディスクドライブを複数のユーザーで使用する際に好適なシステムに関する。
【背景技術】
【０００２】
これまで、動画を記録するビデオカメラ装置の記録媒体としては、ＶＨＳ規格やＤＶ規格の磁気テープメディアあるいは、ＤＶＤ規格の光ディスクメディアが一般的であったが、近年、これらのメディアに加えて、特許文献１に開示されているように、ハードディスクドライブを内蔵し、撮影した動画をハードディスクドライブに記録することができるビデオカメラが普及し始めている。ハードディスクドライブを利用すると、大容量性、ランダムアクセス性、パーソナルコンピューターとの親和性、などのメリットを享受することができる。特に、容量については、動画の記録時間が、ＤＶ規格の磁気テープでは最大１２０分、ＤＶＤ規格の光ディスクでは最大７５分に対して、７時間以上の記録が可能となり、記録メディアを交換する必要がない固定メディア化ができるという大きな特長を有している。
【０００３】
以下、ハードディスクドライブが内蔵された撮影装置について説明する。
【０００４】
図７は、従来の撮影装置の構成を示すブロック図である。図７において、撮影装置は、カメラ部１０１、信号処理部１０２、画像圧縮部１０３、固定メモリ１０４、制御部１０６，操作部１０７、バス１０８、システム管理部１０９、表示部１１０を備えている。
【０００５】
カメラ部１０１は、フォーカスレンズやズームレンズなどで構成されるレンズと、入射される光学画像の光量を制限する絞りと、入射される光学画像を結像し電気信号に変換する撮像素子とを備えている。撮像素子は、ＣＣＤイメージセンサーやＣＭＯＳイメージセンサーなどで構成されている。
【０００６】
信号処理部１０２は、カメラ部１０１から出力される電気信号に基づいて映像信号を生成する。具体的には、電気信号に基づいて映像信号を生成し、ノイズ除去やガンマ補正などの映像信号処理や、画像圧縮部１０３を制御して動画の圧縮制御を行うものである。
【０００７】
画像圧縮部１０３は、信号処理部２で生成された映像信号のデータ量を削減するために、画像圧縮処理を行うものである。圧縮処理（符号化処理）の一例としては、動画の場合はＭＰＥＧ（Moving Picture Experts Group）規格に準拠したMPEG2（ISO/IEC 13818）、MPEG4（ISO/IEC 14496）、H.264（MPEG-4 Part 10）などの圧縮法があり、静止画の場合はＪＰＥＧ（Joint Photographic Experts Group）規格に準拠した圧縮法があるが、これらに限定されるものではなく、少なくともデジタル信号処理によって動画または静止画が生成される圧縮処理であればよい。
【０００８】
固定メモリー１０４は、信号処理部１０２から出力される動画あるいは静止画を、所定のファイル形式で記録させることができる媒体であり、少なくとも撮像装置内に固定して配されている。固定メモリー１０４は、動画等の他、ファイル管理を行うための管理情報が記録されている。固定メモリー１０４は、本実施の形態では大容量のハードディスクドライブで構成されている。ハードディスクドライブは、高速回転するディスク上にデジタル信号を磁気記録するもので、安価、大容量、ランダムアクセスという特長を有している。例えば、ビットレートが１０ＭｂｐｓのＭＰＥＧ２フォーマットの映像信号を、１００ギガバイトのハードディスクに記録する場合、最長記録時間は理論上２２時間２２分になり、磁気テープや光ディスクに比べてかなりの長時間記録が可能となる。なお、固定メモリー４は、ハードディスクドライブに限らず、少なくとも撮像装置内に固定され、ユーザーによって取り外すことができない媒体であればよく、例えば半導体メモリーで構成されていてもよい。
【０００９】
制御部１０６は、操作部１０７で入力された命令に基づき、各部に対して動作命令・制御を行うものである。
【００１０】
操作部１０７は、操作釦などで構成され、ユーザーによって各種操作を行うことができる。例えば、撮影動作を開始／停止させるためのレリーズスイッチや、固定メモリー１０４に記録されている動画などを再生させるためのスイッチや、各種操作を行うことができるカーソルボタンなどで構成されている。
【００１１】
バス１０８は、少なくとも信号処理部１０２、固定メモリー１０４、制御部１０６、操作部１０７、システム管理部１０９、表示部１１０が接続され、互いにデータの授受を行うことができる通信路である。
【００１２】
システム管理部１０９は、本装置で撮影された動画や静止画に対して、所定の規則性に従ってファイル名を付与したり、ファイル名の重複を避けるようにファイル名を付与しなおしたりするものである。また、固定メモリー１０４におけるデータ記録アドレスの管理も行っている。また、ファイル名、記録アドレス、動画／静止画データの関連付けも行っている。
【００１３】
表示部１１０は、動画や静止画、各種情報を表示させることができるものであり、本実施の形態では撮像装置に一般に搭載されている２〜４インチ程度の液晶ディスプレイに相当する。なお、表示部１１０に表示させる各種情報は、撮影日時やファイル名などであるが、他の情報であってもよい。また、表示部１０は液晶ディスプレイに限らず、有機ＥＬディスプレイなどで構成されていてもよい。
【００１４】
以下、動作について説明する。
【００１５】
まず、基本動作について説明する。図７において、撮影装置で被写体などの動画撮影を行う際は、装置の電源が投入され、装置が撮影モードになっている時、カメラ部１０１は入射される光学画像を電気信号に変換して、信号処理部１０２へ出力している。信号処理部１０２は、ノイズ除去などの画像処理を行った後、映像信号を表示部１１０に出力している。表示部１１０には、入力される映像信号（スルー画像）を表示させている。
【００１６】
このように表示部１１０にスルー画像が表示されている状態において、ユーザーによって操作部１０７における撮影開始命令が入力されると、制御部１０６は信号処理部１０２を制御して、カメラ部１０１から入力されている映像信号の圧縮処理を行う。圧縮処理は、画像圧縮部１０３において行われ、例えばＭＰＥＧ２フォーマットの動画データが生成される。生成された動画データは、固定メモリー１０４に記録される。
【００１７】
この時、固定メモリー１０４に記録される動画データのファイル名は、システム管理部１０９において付与される。付与されたファイル名は、システムデータとして固定メモリー１０４に記録される。
【００１８】
ユーザーによって操作部１０７が操作され、撮影終了命令が入力されると、制御部１０６は信号処理部１０２を制御して、画像圧縮部１０３における圧縮処理を停止させる。また、制御部１０６は、固定メモリー１０４における記録動作を停止させるよう制御する。
【００１９】
また、静止画を撮影する際の動作は、上記動画撮影時の動作とほぼ同等であり、操作部１０７においてレリーズスイッチが操作された時に、画像圧縮部１０３で圧縮処理された静止画データが固定メモリー１０４に記録されるように制御されている。
【００２０】
また、固定メモリー１０４に記録されている動画データや静止画データを再生する際は、ユーザーによって操作部７が操作され再生命令が入力されると、制御部１０６は、システム管理部１０９を制御して、ユーザーによって指定されたファイル名に対応した記録アドレスなどの情報を読み出す。制御部１０６は読み出された情報に基づき、固定メモリー１０４における指定の記録アドレスにアクセスして、動画データなどを読み出す。読み出された動画データは、信号処理部１０２に入力される。信号処理部１０２は、入力される動画データをデコードして、アナログ映像信号を生成し、表示部１１０へ出力する。表示部１１０は、入力されるアナログ映像信号を表示させる。
【００２１】
図８は、固定メモリー１０４におけるデータ構造を示している。図８において、固定メモリー１０４には、ファイル名データ２０１、アドレスデータ２０２などから構成されるシステムデータ２００と、動画データや静止画データなどのユーザーデータで構成されている画像データ２０３とが記録されている。また、システムデータ２００には、固定メモリー１０４における空き容量やファイルシステムの情報が記録されている。
【００２２】
図８において、「IMAGE#DATA-1」や「IMAGE#DATA-2」などのファイルは、所定の記録アドレスに記録されている画像データを示している。また、「FILE#NAME-1」や「FILE#NAME-2」などは、画像データ毎に付与されているファイル名情報を示しており、「ADDRESS-1」や「ADDRESS-2」などは各画像データの、固定メモリー１０４上における記録アドレスを示している。なお、システムデータ２００には、図８に示す情報以外に、撮影日時や記録日時の情報、圧縮フォーマット情報、ビットレート情報なども含まれている。
【００２３】
通常、固定メモリー１０４の一例であるハードディスクドライブにデータを記録する場合、ユーザーは記憶装置の特性に依存しないデータファイル名を用いてアクセスするが、実際に記録される時には、ハードディスクドライブ個々の特性に依存したシリンダ／ヘッド／セクタと呼ばれる物理アドレスでのアクセスが必要である。そこで、データのファイル名と物理アドレスとを関連付けて、ハードディスクドライブにアクセスすることが必要になる。この関連付けは、ファイル名で指定されるデータが、ハードディスクドライブ上のどのアドレスに記録されているかを規定するデータテーブルを参照して行われる。このデータテーブルと、容量、パーティションタイプやＦＡＴ（File Allocation Table）タイプなどのハードディスクドライブの特性情報等と合わせて、実際のハードディスクドライブにおいてデータが記録されている物理アドレスを特定することができる。
【００２４】
図８に示すように、本構成では、システムデータと画像データなどのユーザーデータは、固定メモリー４に記録されている。
【００２５】
図９は、撮影時のデータ記録シーケンスを示している。まず、ユーザーによって操作部１０７が操作されて画像データが取り込まれると（ステップＳ１０１）、システム管理部１０９は、固定メモリー１０４からシステムデータ２００を読み出し、システム管理部１０９内のバッファメモリーへ一時的に記憶させる（ステップＳ１０２）。
【００２６】
次に、システム管理部１０９は、撮影された画像データに対して、所定の規則性に従ってファイル名を付与するとともに（ステップＳ１０３）、固定メモリー１０４上において画像データを記録するアドレスを決定する（ステップＳ１０４）。
【００２７】
この際、システム管理部１０９は、バッファに記憶させているシステムデータ２００を参照し、固定メモリー１０４上の空き領域および予約ファイル名を参照する。記録しようとしている画像データに付与されるファイル名が、既存のファイル名と重複することを避けるため、システム管理部１０９はシステムデータ２００を参照し、画像データに付与するファイル名を決定している。
【００２８】
また、固定メモリー１０４に記録済みの画像データを、誤って上書きしてしまうことを避けるため、既に固定メモリー１０４に記録されている画像データのアドレス情報を、システムデータ２００から取得し、記録しようとしている画像データのアドレスを決定する。すなわち、システムデータ２００におけるアドレスデータ２０２に重複しないアドレスを検索し、重複しないアドレスが見つかればそのアドレスデータを、記録しようとしている画像データのアドレスとして決定する。
【００２９】
このようにして決定されたファイル名とアドレスデータに基づいて、画像データを固定メモリー１０４に記録する（ステップＳ１０５）。
【００３０】
画像データの記録と同時に、システム管理部１０９は、バッファに記憶されているシステムデータ２００を、新しく記録を行った画像データに関するアドレスデータ、ファイル名データ、空き容量情報などを更新して、固定メモリー４へ書き込む（ステップＳ１０６）。
【００３１】
画像データの記録、システムデータの更新が完了すれば、ステップＳ１０１に戻って、次の撮影操作が行われるまで待機する。
【特許文献１】特開平８−１４００２７号公報
【発明の開示】
【発明が解決しようとする課題】
【００３２】
しかしながら上記のようにハードディスクドライブが内蔵された撮影装置であれば、１台の撮影装置を複数のユーザーで使用する場合、プライバシーが守られないという問題がある。
【００３３】
即ち、図１０に示すように、１台の撮影装置を複数のユーザーで使用する場合、撮影装置に内蔵されたハードディスクなどの固定メモリー１０４には、全てのユーザー１２０ａ〜１２０ｃが撮影した画像データが記録されるため、自分自身が撮影した画像が、他のユーザーによってシステムデータ２００を介して簡単に見られてしまう。すなわち、プライバシー上、セキュリティ上の問題が発生する。
【００３４】
本発明は、上記問題に鑑み、複数のユーザーで共用した場合、ユーザー毎にアクセスすることができるデータを特定することができる撮影装置を提供するものである。
【課題を解決するための手段】
【００３５】
この目的を達成するために本発明の撮影装置は、入射される光学画像を撮像する撮像部と、前記撮像部で撮像された光学画像から、映像データを生成する信号処理部と、前記信号処理部において生成された映像データを管理するための管理データを生成するシステム管理部と、当該装置内に固定して配され、少なくとも前記信号処理部から出力される映像データを記録可能な第１の情報媒体とを備えた撮影装置であって、当該装置に着脱可能で、前記システム管理部で生成される管理データを記録可能な第２の情報媒体を備え、前記管理データは、少なくとも、前記映像データのファイル名の情報と、前記第１の情報媒体において前記映像データが記録されるアドレスの情報とが含まれているものである。
【発明の効果】
【００３６】
本発明によれば、複数のユーザーで共用した場合、ユーザー毎にアクセスすることができるデータを特定することで、プライバシー性およびセキュリティ性を向上させることができる。
【発明を実施するための最良の形態】
【００３７】
本発明の撮影装置は、前記システム管理部は、前記第２の情報媒体に記録されている管理データで管理されている映像データのみに、アクセスを許可する構成とすることが好ましい。このように構成することにより、ユーザー毎にアクセス可能な映像データを特定することができるため、プライバシー性やセキュリティ性を向上させることができる。
【００３８】
また、複数の前記第２の情報媒体を選択的に装着可能であり、前記複数の第２の情報媒体における各情報媒体に記録される管理データは、前記第１の情報媒体上のアクセス領域が互いに排他的関係になるようにアドレス情報が設定されている構成とすることが好ましい。このように構成することにより、ユーザー毎にアクセス可能な映像データを特定することができるため、プライバシー性やセキュリティ性を向上させることができるとともに、他のユーザーによってデータが消去されてしまうことを防止することができる。
【００３９】
また、前記第２の情報媒体は、半導体メモリーで構成されていることが好ましい。このように構成することにより、装置に衝撃が加わっても第２の情報媒体に記録されている管理データが破損することがなく、第１の情報媒体に記録されている映像データの一部が破損したとしても、破損していない映像データを読み出すことができる。
【００４０】
（実施の形態１）
〔基本構成及び動作〕
図１は、実施の形態１における撮影装置の構成を示すブロック図である。本実施の形態の撮影装置は、動画を撮影可能なパームサイズのビデオカメラで構成されているが、静止画を中心に撮影可能なデジタルスチルカメラや、カメラ付き携帯電話機などでもよい。
【００４１】
図１において、撮影装置は、カメラ部１、信号処理部２、画像圧縮部３、ハードディスクドライブ４、リムーバブルメモリー５、制御部６，操作部７、バス８、システム管理部９、表示部１０を備えている。
【００４２】
カメラ部１は、フォーカスレンズやズームレンズなどで構成されるレンズと、入射される光学画像の光量を制限する絞りと、入射される光学画像を結像し電気信号に変換する撮像素子とを備えている。撮像素子は、ＣＣＤイメージセンサーやＣＭＯＳイメージセンサーなどで構成されている。
【００４３】
信号処理部２は、カメラ部１から出力される電気信号に基づいて映像信号を生成する。具体的には、電気信号に基づいて映像信号を生成し、ノイズ除去やガンマ補正などの映像信号処理や、画像圧縮部３を制御して動画の圧縮制御を行うものである。
【００４４】
画像圧縮部３は、信号処理部２で生成された映像信号のデータ量を削減するために、画像圧縮処理を行うものである。圧縮処理（符号化処理）の一例としては、動画の場合はＭＰＥＧ（Moving Picture Experts Group）規格に準拠したMPEG2（ISO/IEC 13818）、MPEG4（ISO/IEC 14496）、H.264（MPEG-4 Part 10）などの圧縮法があり、静止画の場合はＪＰＥＧ（Joint Photographic Experts Group）規格に準拠した圧縮法があるが、これらに限定されるものではなく、少なくともデジタル信号処理によって動画または静止画が生成される圧縮処理であればよい。
【００４５】
固定メモリー４は、信号処理部２から出力される動画あるいは静止画を、所定のファイル形式で記録させることができる媒体であり、少なくとも撮像装置内に固定して配されている。固定メモリー４は、動画等の他、ファイル管理を行うための管理情報が記録されている。固定メモリー４は、本実施の形態では大容量のハードディスクドライブ（ＨＤＤ）で構成されている。ＨＤＤは、高速回転するディスク上にデジタル信号を磁気記録するもので、安価、大容量、ランダムアクセスという特長を有している。例えば、ビットレートが１０ＭｂｐｓのＭＰＥＧ２フォーマットの映像信号を、１００ギガバイトのハードディスクに記録する場合、最長記録時間は理論上２２時間２２分になり、磁気テープや光ディスクに比べてかなりの長時間記録が可能となる。なお、固定メモリー４はＨＤＤに限らず、少なくとも撮像装置内に固定され、ユーザーによって取り外すことができない媒体であればよく、例えば半導体メモリーで構成されていてもよい。
【００４６】
リムーバブルメモリー５は、信号処理部２から出力される動画あるいは静止画を、所定のファイル形式で記録させることができる媒体であり、撮像装置に対して着脱可能に構成されている。リムーバブルメモリー５は、例えばＳＤＲＡＭ（Synchronous Dynamic Randum Access Memory）などの不揮発性半導体メモリーが、カード状の薄型筐体に内蔵されて構成されている。このようなリムーバブルメモリー５は、装置に対して着脱可能、ランダムアクセスが可能などのメリットに加えて、仮に衝撃が加わっても記録されているデータが破壊されることが極めて少ないという特長を有している。なお、リムーバブルメモリー５は、半導体メモリーに限らず、少なくとも撮像装置に対して着脱可能であるとともにデジタルデータを記録させることができる媒体であればよいため、１インチ程度の小型ＨＤＤや、光学式ディスクなどのディスク状媒体で構成されていてもよい。
【００４７】
制御部６は、操作部７で入力された命令に基づき、各部に対して動作命令・制御を行うものである。
【００４８】
操作部７は、操作釦などで構成され、ユーザーによって各種操作を行うことができる。例えば、撮影動作を開始／停止させるためのレリーズスイッチや、固定メモリー４やリムーバブルメモリー５に記録されている動画などを再生させるためのスイッチや、各種操作を行うことができるカーソルボタンなどで構成されている。
【００４９】
バス８は、少なくとも信号処理部２、固定メモリー４、リムーバブルメモリー５、制御部６、操作部７、システム管理部９、表示部１０が接続され、互いにデータの授受を行うことができる通信路である。
【００５０】
システム管理部９は、本装置で撮影された動画や静止画に対して、所定の規則性に従ってファイル名を付与したり、ファイル名の重複を避けるようにファイル名を付与しなおしたりするものである。また、固定メモリー４及びリムーバブルメモリー５におけるデータ記録アドレスの管理も行っている。また、ファイル名、記録アドレス、動画／静止画データの関連付けも行っている。
【００５１】
表示部１０は、動画や静止画、各種情報を表示させることができるものであり、本実施の形態では撮像装置に一般に搭載されている２〜４インチ程度の液晶ディスプレイに相当する。なお、表示部１０に表示させる各種情報は、撮影日時やファイル名などであるが、他の情報であってもよい。また、表示部１０は液晶ディスプレイに限らず、有機ＥＬディスプレイなどで構成されていてもよい。
【００５２】
以下、動作について説明する。
【００５３】
まず、基本動作について説明する。図１において、撮影装置で被写体などの動画撮影を行う際は、装置の電源が投入され、装置が撮影モードになっている時、カメラ部１は入射される光学画像を電気信号に変換して、信号処理部２へ出力している。信号処理部２は、ノイズ除去などの画像処理を行った後、映像信号を表示部１０に出力している。表示部１０には、入力される映像信号（スルー画像）を表示させている。
【００５４】
このように表示部１０にスルー画像が表示されている状態において、ユーザーによって操作部７における撮影開始命令が入力されると、制御部６は信号処理部２を制御して、カメラ部１から入力されている映像信号の圧縮処理を行う。圧縮処理は、画像圧縮部３において行われ、例えばＭＰＥＧ２フォーマットの動画データが生成される。生成された動画データは、固定メモリー４に記録される。
【００５５】
この時、固定メモリー４に記録される動画データのファイル名は、システム管理部９において付与される。付与されたファイル名は、固定メモリー４における記録アドレスなどの情報とともに、リムーバブルメモリー５に記録される。
【００５６】
なお、本実施の形態では、撮影された動画データは固定メモリー４に記録される構成としたが、リムーバブルメモリー５に記録される構成としてもよい。
【００５７】
ユーザーによって操作部７が操作され、撮影終了命令が入力されると、制御部６は信号処理部２を制御して、画像圧縮部３における圧縮処理を停止させる。また、制御部６は、固定メモリー４における記録動作を停止させるよう制御する。
【００５８】
また、静止画を撮影する際の動作は、上記動画撮影時の動作とほぼ同等であり、操作部７においてレリーズスイッチが操作された時に、画像圧縮部３で圧縮処理された静止画データが固定メモリー４に記録されるように制御されている。
【００５９】
また、固定メモリー４またはリムーバブルメモリー５に記録されている動画データや静止画データを再生する際は、ユーザーによって操作部７が操作され再生命令が入力されると、制御部６は、システム管理部９を制御して、ユーザーによって指定されたファイル名に対応した記録アドレスなどの情報を読み出す。制御部６は読み出された情報に基づき、固定メモリー４における指定の記録アドレスにアクセスして、動画データなどを読み出す。読み出された動画データは、信号処理部２に入力される。信号処理部２は、入力される動画データをデコードして、アナログ映像信号を生成し、表示部１０へ出力する。表示部１０は、入力されるアナログ映像信号を表示させる。
【００６０】
なお、本実施の形態では、圧縮された動画データや静止画データは、全て固定メモリー４に記録される構成としたが、本発明はその限りでなく、圧縮されたデータの大部分が固定メモリー４に記録され、一部がリムーバブルメモリー５に記録される構成も可能である。
【００６１】
〔固定メモリー４及びリムーバブルメモリー５のデータ構造〕
図２は、固定メモリー４におけるデータテーブルを示している。図２において、固定メモリー４には、固定メモリー４における空き容量やファイルシステムの情報が記録されているシステムデータ４１と、動画データや静止画データなどのユーザーデータで構成されている画像データ４２とが記録されている。また、図３は、リムーバブルメモリー５におけるデータテーブルを示している。図３において、リムーバブルメモリー５には、ファイル名情報５２や記録アドレス情報５３などから構成されているシステムデータ５１が記録されている。
【００６２】
図２において、「FILE#SYSTEM」のファイルは、固定メモリー４における空き容量やファイルシステム（ＦＡＴなどの情報）などが書き込まれている。また、「IMAGE#DATA-1」や「IMAGE#DATA-2」などのファイルは、所定の記録アドレスに記録されている画像データを示している。また、図３において、「FILE#NAME-1」や「FILE#NAME-2」などは、画像データ毎に付与されているファイル名情報を示しており、「ADDRESS-1」や「ADDRESS-2」などは各画像データの、固定メモリー４上における記録アドレスを示している。なお、システムデータ５１には、図３に示す情報以外に、撮影日時や記録日時の情報、圧縮フォーマット情報、ビットレート情報なども含まれている。
【００６３】
通常、固定メモリー４（例えばＨＤＤ）にデータを記録する場合、ユーザーは記憶装置の特性に依存しないデータファイル名を用いてアクセスするが、実際に記録される時には、ＨＤＤ個々の特性に依存したシリンダ／ヘッド／セクタと呼ばれる物理アドレスでのアクセスが必要である。そこで、データのファイル名と物理アドレスとを関連付けて、ＨＤＤにアクセスすることが必要になる。この関連付けは、ファイル名で指定されるデータが、ＨＤＤ上のどのアドレスに記録されているかを規定するデータテーブルを参照して行われる。このデータテーブルと、容量、パーティションタイプやＦＡＴ（File Allocation Table）タイプなどのＨＤＤの特性情報等と合わせて、実際のＨＤＤにおいてデータが記録されている物理アドレスを特定することができる。
【００６４】
図２及び図３に示すように、本実施の形態では、システムデータはリムーバブルメモリー５に記録され、画像データなどのユーザーデータは固定メモリー４に記録されている。
【００６５】
〔撮影シーケンス〕
図４は、撮影時のデータ記録シーケンスを示している。まず、ユーザーによって操作部７が操作されて画像データが取り込まれると（ステップＳ２１）、システム管理部９は、固定メモリー４からシステムデータ４１を読み出し、システム管理部９内のバッファへ一時的に記憶させるとともに、リムーバブルメモリ５からシステムデータ５１を読み出して、システム管理部９内のバッファへ一時的に記憶させる（ステップＳ２２）。
【００６６】
次に、システム管理部９は、所定の規則性に従ってファイル名を付与するとともに（ステップＳ２３）、固定メモリー４上において画像データを記録するアドレスを決定する（ステップＳ２４）。
【００６７】
この際、システム管理部９は、バッファに記憶させているシステムデータ４１及び５１を参照し、固定メモリー４上の空き領域および予約ファイル名を参照する。記録しようとしている画像データに付与されるファイル名が、既存のファイル名と重複することを避けるため、システム管理部９はシステムデータ５１を参照し、画像データに付与するファイル名を決定している。本実施の形態では、ファイル名は、「ABC00001」などのように、英字と数字とを組み合わせて７桁のファイル名を付与している。下５桁の数字はファイル作成順に昇順となるように付与されるため、新たにファイル名を付与する際は、現在システムデータ５１におけるファイル名データ５２のうち、下５桁の数値が最も大きいファイル名（即ち最新のファイル名）を検索し、そのファイル名の数値に１を加算したファイル名にしている。例えば、最新のファイル名が「ABC00008」の場合は「ABC00009」を付与する。
【００６８】
また、固定メモリー４に記録済みの画像データを、誤って上書きしてしまうことを避けるため、既に固定メモリー４に記録されている画像データのアドレス情報を、システムデータ５１から取得し、記録しようとしている画像データのアドレスを決定する。すなわち、システムデータ５１におけるアドレスデータ５３に重複しないアドレスを検索し、重複しないアドレスが見つかればそのアドレスデータを、記録しようとしている画像データのアドレスとして決定する。
【００６９】
このようにして決定されたファイル名とアドレスデータに基づいて、画像データを固定メモリー４に記録する（ステップＳ２５）。
【００７０】
画像データの記録と同時に、システム管理部９は、バッファに記憶されているシステムデータ５１を、新しく記録を行った画像データに関するアドレスデータおよびファイル名データで更新し、リムーバブルメモリー５へ書き込む。また、バッファに記憶されているシステムデータ４１における空き容量情報などを更新して、固定メモリー４へ書き込む（ステップＳ２６）。空き容量情報は、画像データの記録前の空き容量から、今回記録した画像データのデータ容量を減算した空き容量情報に更新される。
【００７１】
画像データの記録、システムデータの更新が完了すれば、ステップＳ２１に戻って、次の撮影操作が行われるまで待機する。
【００７２】
〔ユーザー毎の画像データ管理〕
図５は、記録システムの概念を示す模式図である。図５は、３人のユーザー２０ａ，２０ｂ，２０ｃが、１台の撮影装置を使って撮影を行うことを前提としている。ユーザー２０ａはシステムデータ５１ａが保存されているリムーバブルメモリー５ａを所持し、ユーザー２０ｂはシステムデータ５１ｂが保存されているリムーバブルメモリー５ｂを所持し、ユーザー２０ｃはシステムデータ５１ｃが保存されているリムーバブルメモリー５ｃを所持している。システムデータ５１ａ〜５１ｃは、互いにそれぞれ異なるデータである。また、システムデータ５１ａ〜５１ｃの内容は、図３に示すように、ファイル名データ５２やアドレスデータ５３などが記載されている。ただし、各システムデータ５１ａ〜５１ｃに記載されているファイル名データやアドレスデータは、必ずシステムデータ毎（すなわち、リムーバブルメモリー毎）に異なる内容になっているため、各システムデータに対応した画像データのみにアクセスできるようになっている。なお、固定メモリー４には、ユーザー２０ａ〜２０ｃによって撮影された画像データが記録されている。
【００７３】
図５において、まず、ユーザー２０ａが撮影装置で撮影を行う際は、ユーザー２０ａ専用のリムーバブルメモリー５ａを撮影装置に装着する。次に、撮影操作が行われると、システム管理部９はリムーバブルメモリー５ａに保存されているシステムデータ５１ａと、固定メモリー４に保存されているシステムデータ４１とを読み出し、撮影された画像データにファイル名を付与して固定メモリー４に保存させる。この時、画像データに付与されるファイル名は、固定メモリー４において既存のファイル名に重複しないファイル名が付与される。また、固定メモリー４における保存場所は、固定メモリー４において既にデータが記録されているアドレスに重複しないアドレスが指定される。次に、ファイル名データとアドレスデータとが更新されたシステムデータ５１ａが、リムーバブルメモリー５ａへ書き込まれる。既にリムーバブルメモリー５ａにシステムデータが存在する場合は、新たなシステムデータに更新する。
【００７４】
例えば、図５に示す関係では、ユーザー２０ａによって撮影された画像データ「image#data-A」と「image#data-2」のファイル名及びアドレスデータは、リムーバブルメモリー５ａのシステムデータ５１ａに書き込まれることになる。
【００７５】
次に、ユーザー２０ｂにが撮影装置で撮影を行う際は、ユーザー２０ｂ専用のリムーバブルメモリー５ｂを撮影装置に装着する。次に、撮影操作が行われると、システム管理部９はリムーバブルメモリー５ｂに保存されているシステムデータ５１ｂと、固定メモリー４に保存されているシステムデータ４１とを読み出し、撮影された画像データにファイル名を付与して固定メモリー４に保存させる。この時、画像データに付与されるファイル名は、固定メモリー４において既存のファイル名に重複しないファイル名が付与される。また、固定メモリー４における保存場所は、固定メモリー４において既にデータが記録されているアドレスに重複しないアドレスが指定される。次に、ファイル名データとアドレスデータとが更新されたシステムデータ５１ｂが、リムーバブルメモリー５ｂへ書き込まれる。既にリムーバブルメモリー５ｂにシステムデータが存在する場合は、新たなシステムデータに更新する。
【００７６】
例えば、図５に示す関係では、ユーザー２０ｂによって撮影された画像データ「image#data-C」に対応したファイル名及びアドレスデータは、リムーバブルメモリー５ｂのシステムデータ５１ｂに書き込まれることになる。
【００７７】
次に、ユーザー２０ｃにが撮影装置で撮影を行う際は、ユーザー２０ｃ専用のリムーバブルメモリー５ｃを撮影装置に装着する。次に、撮影操作が行われると、システム管理部９はリムーバブルメモリー５ｃに保存されているシステムデータ５１ｃと、固定メモリー４に保存されているシステムデータ４１とを読み出し、撮影された画像データにファイル名を付与して固定メモリー４に保存させる。この時、画像データに付与されるファイル名は、固定メモリー４において既存のファイル名に重複しないファイル名が付与される。また、固定メモリー４における保存場所は、固定メモリー４において既にデータが記録されているアドレスに重複しないアドレスが指定される。次に、ファイル名データとアドレスデータとが更新されたシステムデータ５１ｃが、リムーバブルメモリー５ｃへ書き込まれる。既にリムーバブルメモリー５ｃにシステムデータが存在する場合は、新たなシステムデータに更新する。
【００７８】
例えば、図５に示す関係では、ユーザー２０ｃによって撮影された画像データ「image#data-D」と「image#data-E」に対応したファイル名及びアドレスデータは、リムーバブルメモリー５ｃのシステムデータ５１ｃに書き込まれることになる。
【００７９】
このようにして記録された画像データを再生する場合は、各リムーバブルメモリー５ａ〜５ｃに保存されているシステムデータ５１ａ〜５１ｃに対応した画像データしか再生できないようになっている。
【００８０】
例えば、図５において、リムーバブルメモリー５ａに保存されているシステムデータ５１ａには、「image#data-A」と「image#data-B」に対応したファイル名やアドレスデータなどが記載されているため、リムーバブルメモリー５１ａを撮影装置に装着して画像データの再生を行うと、固定メモリー４に保存されている「image#data-A」と「image#data-B」の画像データのみしか再生されず、他の画像データは再生されない。したがって、ユーザー２０ａは、自身によって撮影された画像データしか閲覧することができず、ユーザー２０ｂや２０ｃによって撮影された画像データを閲覧することはできない。
【００８１】
また、リムーバブルメモリー５ｂに保存されているシステムデータ５１ｂには、「image#data-C」に対応したファイル名やアドレスデータなどが記載されているため、リムーバブルメモリー５１ｂを撮影装置に装着して画像データの再生を行うと、固定メモリー４に保存されている「image#data-C」の画像データのみしか再生されず、他の画像データは再生されない。したがって、ユーザー２０ｂは、自身によって撮影された画像データしか閲覧することができず、ユーザー２０ａや２０ｃによって撮影された画像データを閲覧することはできない。
【００８２】
また、リムーバブルメモリー５ｃに保存されているシステムデータ５１ｃには、「image#data-D」と「image#data-E」に対応したファイル名やアドレスデータなどが記載されているため、リムーバブルメモリー５１ｃを撮影装置に装着して画像データの再生を行うと、固定メモリー４に保存されている「image#data-D」と「image#data-E」の画像データのみしか再生されず、他の画像データは再生されない。したがって、ユーザー２０ｃは、自身によって撮影された画像データしか閲覧することができず、ユーザー２０ａや２０ｂによって撮影された画像データを閲覧することはできない。
【００８３】
また、本実施の形態では、撮影を行う前に、撮影装置にリムーバブルメモリー５が装着されていなければ、撮影を行うことができないように構成されている。また、画像データの再生を行う際、撮影装置にリムーバブルメモリー５が装着され、そのリムーバブルメモリー５に記録されているシステムデータに対応した画像データのみが再生できるように構成されている。
【００８４】
〔撮影シーケンスの他例〕
また、図４に示すシーケンスでは、撮影操作毎（静止画の場合は、１枚の静止画を撮影する毎で、動画の場合は、１本の連続的な動画を撮影する毎）に固定メモリー４及びリムーバブルメモリー５のシステムデータを更新する構成としたが、図６に示すようなシーケンスであってもよい。
【００８５】
図６に示すシーケンスは、システムデータを固定メモリーから参照することを、最初のアクセス時に行い、以後の参照についてはシステム管理部９上のバッファメモリー上のシステムデータに対して行い、全ての撮影後にシステムデータを固定メモリー４に書き戻すような制御を行うシーケンスである。
【００８６】
図６において、まず撮影装置の電源オンや、撮影モードへの移行が行われた時、システム管理部９は固定メモリー４及びリムーバブルメモリー５からシステムデータ４１及び５１を読み出す（ステップＳ４１）。読み出されたシステムデータ４１及び５１は、システム管理部９内のバッファメモリーへ一時的に保存させる（ステップＳ４２）。
【００８７】
次に、ユーザーによって撮影操作が行われると（ステップＳ４３）、システム管理部９は、所定の規則性に従ってファイル名を付与するとともに（ステップＳ４４）、固定メモリー４上において画像データを記録するアドレスを決定する（ステップＳ４５）。
【００８８】
この際、システム管理部９は、バッファに記憶させているシステムデータ４１及び５１を参照し、固定メモリー４上の空き領域および予約ファイル名を参照する。記録しようとしている画像データに付与されるファイル名が、既存のファイル名と重複することを避けるため、システム管理部９はシステムデータ５１を参照し、画像データに付与するファイル名を決定している。
【００８９】
また、固定メモリー４に記録済みの画像データを、誤って上書きしてしまうことを避けるため、既に固定メモリー４に記録されている画像データのアドレス情報を、システムデータ５１から取得し、記録しようとしている画像データのアドレスを決定する。すなわち、システムデータ５１におけるアドレスデータ５３に重複しないアドレスを検索し、重複しないアドレスが見つかればそのアドレスデータを、記録しようとしている画像データのアドレスとして決定する。
【００９０】
このようにして決定されたファイル名とアドレスデータに基づいて、画像データを固定メモリー４に記録する（ステップＳ４６）。
【００９１】
画像データの記録と同時に、システム管理部９は、バッファメモリーに記憶されているシステムデータ４１及び５１を、新しく記録を行った画像データに関するアドレスデータおよびファイル名データで更新する（ステップＳ４７）。
【００９２】
次に、ユーザーによって、撮影終了操作（撮影モードから他のモードへ移行されたり、撮影装置の電源オフ操作が行われた場合など）が行われるか否か待機し（ステップＳ４８）、再び撮影操作が行われればステップＳ４３から処理を行う。撮影終了操作が行われれば、バッファメモリーに保存されているシステムデータ４１を固定メモリー４へ書き込むとともに、システムデータ５１をリムーバブルメモリー５へ書き込む（ステップＳ４９）。
【００９３】
〔作用効果〕
以上のように本実施の形態によれば、撮影時に、リムーバブルメモリー毎に異なるシステムデータを作成するように構成したことで、撮影装置に装着されたリムーバブルメモリーに対応した画像データしか再生されない。よって、複数のユーザーで１台の撮影装置を使用する際に、ユーザー毎に専用のリムーバブルメモリーを用意して撮影を行うことで、画像データの再生時、自身が撮影した画像データのみを再生することができ、他人によって自身の画像データが再生されることを防ぐことができる。
【００９４】
このようにシステムデータをリムーバブルメモリー５に記録しているので、いったんリムーバブルメモリー５を撮影装置本体から取り外すと、ユーザーデータ（画像データ）は固定メモリー４に記録されているにも関わらず、固定メモリー４上の物理アドレスを特定できないので読み出すことができない。つまり、プライバシー性、セキュリティ性を向上させることができる。
【００９５】
また、自分自身が撮影した画像データにおいて、他のユーザーによるアクセスそ防止しているため、データの再生とともに、データの消去を防止することができる。
【００９６】
また、ファイル名データは、リムーバブルメモリー５のシステムデータ５１に記録されるとともに、固定メモリー４のシステムデータ４１に記録されるため、ファイル名の重複を防止することができる。
【００９７】
また、記録アドレスデータは、リムーバブルメモリー５のシステムデータ５１に記録されるとともに、固定メモリー４のシステムデータ４１に記録されるため、アドレスの重複を防止することができ、既に固定メモリー４に記録されているデータの一部または全部が消去されてしまうことを防止することができる。
【００９８】
また、本実施の形態では、固定メモリー４がハードディスクドライブで構成されている場合、落下等の衝撃によりハードディスクドライブ４に記録されているデータに損傷を受けた時にも、その損傷を最小限度に留めるという新たな効果も期待できる。
【００９９】
以下、この効果について説明する。
【０１００】
ハードディスクドライブは、一般的に衝撃に対して弱いと言われている。ハードディスクドライブは回転する磁気ディスク上において、ヘッドが記録面に対して非接触状態（浮上状態）で移動され、ディスクの記録面にアクセスしている。このような構成においてハードディスクドライブが落下等による衝撃を受けた時に磁気ヘッドが磁気ディスクに衝突し、記録面に傷がつき、傷が付いた部分に記録されているデータが損傷し、読み書きができなくなる場合がある。一般的なハードディスクドライブの対衝撃性能は２００Ｇ程度と言われている。これはおよそ１０ｃｍの高さから落下させた時に装置に印加される衝撃に相当する。
【０１０１】
撮影された画像データをハードディスクドライブに記録中に、ドライブに衝撃が加わった場合、記録中の画像データは損なわれるが、それ以外の画像データ（例えば過去に記録した画像データ）は損なわれない。しかし、システムデータが損傷した場合は、ハードディスクドライブの物理アドレスを計算することができなくなり、過去に記録した映像信号を含めて、ハードディスクドライブに記録されている全てのデータが読み出せなくなる可能性がある。
【０１０２】
しかしながら本発明では、システムデータはリムーバブルメモリー５に記録させている。半導体メモリーなどで構成されているリムーバブルメモリー５は、落下等による衝撃でデータが破損する可能性がないため、ハードディスクドライブ上のシステムデータや画像データの一部が破損したとしても、リムーバブルメモリー５に記録されているシステムデータを使って、ハードディスクドライブ４における一部の画像データ（破損していないアドレスに書き込まれている画像データ）を読み出すことができる。
【０１０３】
さらに、システムデータは、ユーザーデータに比べてデータ量が極めて小さいので、ハードディスクドライブ４に比べて容量あたりの価格が高いリムーバブルディスクを利用しても、大きなコストアップにならない。
【０１０４】
また、本実施の形態では、リムーバブルメモリー５が装着されていない場合は撮影操作を禁止する構成としたが、リムーバブルメモリー５が装着されていない場合は、システムデータを固定メモリー４に記録する構成としてもよい。このような構成では、従来のように撮影した画像データを他のユーザーによって再生が可能になってしまうが、リムーバブルメモリー５を持ち合わせていない場合にも撮影を行うことができる。
【０１０５】
また、リムーバブルメモリー５が装着されていない場合に、撮影を禁止するモードと撮影を許可するモード（システムデータは固定メモリー４に記録）とを備え、ユーザーによって所望のモードを選択可能に構成してもよい。
【産業上の利用可能性】
【０１０６】
本発明は、デジタル映像信号をハードディスクドライブなどの固定メモリーに記録することができる、ビデオカメラなどの撮影装置に関し、大容量ハードディスクドライブを複数のユーザーで使用するに好適なシステムを提供するものであり、個々のユーザーが記録した映像信号を他のユーザーに対して見られることがないようにできる効果がある。さらに、ハードディスクドライブが落下等の衝撃によって損傷を受けた場合にも損失する映像信号データを最小限に留める効果が期待できる。
【図面の簡単な説明】
【０１０７】
【図１】本発明の実施の形態１における撮影装置の構成を示すブロック図
【図２】固定メモリーのデータテーブル
【図３】リムーバブルメモリーのデータテーブル
【図４】撮影装置の撮影シーケンスを示すフローチャート
【図５】複数のユーザーによるデータ管理の概念を示す図
【図６】撮影装置の撮影シーケンスの他例を示すフローチャート
【図７】従来の撮影装置の構成を示すブロック図
【図８】従来の固定メモリーのデータテーブル
【図９】従来の撮影装置の撮影シーケンスを示すフローチャート
【図１０】従来の撮影装置において複数のユーザーによるデータ管理の概念を示す図
【符号の説明】
【０１０８】
１  カメラ部
２  信号処理部
３  画像圧縮部
４  固定メモリー
５  リムーバブルメモリー
６  制御部
７  操作部
９  システム管理部
【図１】
2008034952.tif 000003
【図２】
2008034952.tif 000004
【図３】
2008034952.tif 000005
【図４】
2008034952.tif 000006
【図５】
2008034952.tif 000007
【図６】
2008034952.tif 000008
【図７】
2008034952.tif 000009
【図８】
2008034952.tif 000010
【図９】
2008034952.tif 000011
【図１０】
2008034952.tif 000012